(57)【要約】【課題】体内のビタミンＤの生成量を的確に算出することができる情報処理装置、情報処理方法およびプログラムを提供する。【解決手段】  情報処理装置１０は、少なくとも、肌のタイプ、露出した皮膚面積、露出した肌の被覆層の有無、及び、被覆層の紫外線減衰率を含む入力情報を入力するための入力部２０と、ビタミンＤ生成量推定部３０ａとを含む。ビタミンＤ生成量推定部３０ａは、測定または取得された紫外線の暴露時間および紫外線量と、入力部により入力された入力情報と、紫外線による体内でのビタミンＤの生成率とに基づき、人の体内で生成されるビタミンＤの生成量を推定するものである。情報処理装置１０は、ビタミンＤ生成量推定部が推定したビタミンＤの生成量と、人における必要なビタミンＤの量との差分を算出する差分算出部を含むことができる。【選択図】図１
2019211937.tif 000002
【特許請求の範囲】
【請求項１】
少なくとも、肌のタイプ、露出した皮膚面積、露出した肌の被覆層の有無、及び、前記被覆層の紫外線減衰率を含む入力情報を入力するための入力部と、
測定または取得された紫外線の暴露時間および紫外線量と、前記入力部により入力された入力情報と、紫外線による体内でのビタミンＤの生成率とに基づき、人の体内で生成されるビタミンＤの生成量を推定するビタミンＤ生成量推定部とを含む情報処理装置。
【請求項２】
請求項１において、
前記入力情報は、前記被覆層の厚みを含む情報処理装置。
【請求項３】
請求項１または２において、
前記ビタミンＤ生成量推定部が推定したビタミンＤの生成量と、前記人における必要なビタミンＤの量との差分を算出する差分算出部を含む情報処理装置。
【請求項４】
請求項３において、
前記ビタミンＤ生成量推定部が推定したビタミンＤの生成量が前記人における必要なビタミンＤの量よりも少ない場合において、前記差分に相当するビタミンＤの量を生成するために必要な日照時間または紫外線の暴露時間を算出する第１の必要時間算出部を含む情報処理装置。
【請求項５】
請求項４において、
前記第１の必要時間算出部は、
所定時間前から現在までの間に取得または測定した紫外線量のうち紫外線量が最高値を継続したと仮定した場合における、所定のビタミンＤの生成量に達するまでの必要な日照時間を算出する機能と、
前記所定時間前から現在までの間に取得または測定した紫外線量のうち紫外線量が平均値を継続したと仮定した場合における、所定のビタミンＤの生成量に達するまでの必要な日照時間を算出する機能と、
前記所定時間前から現在までの間に取得または測定した紫外線量のうち紫外線量が最低値を継続したと仮定した場合における、所定のビタミンＤの生成量に達するまでの必要な日照時間を算出する機能と、を実現する情報処理装置。
【請求項６】
請求項３〜５のいずれかにおいて、
所定時間前から現在までの間の前記差分の積算量を考慮して、体内に蓄積されたビタミンＤの蓄積量を算出するビタミンＤ蓄積量算出部を含む情報処理装置。
【請求項７】
請求項６において、
前記ビタミンＤ蓄積量算出部は、ビタミンＤの半減期を考慮して、前記体内に蓄積されたビタミンＤの蓄積量を算出する情報処理装置。
【請求項８】
請求項３〜７のいずれかにおいて、
前記ビタミンＤ生成量推定部が推定したビタミンＤの生成量が前記人における必要なビタミンＤの量以上になった場合において、前記ビタミンＤ生成量推定部が推定したビタミンＤの生成量が前記人における必要なビタミンＤの量以上になった旨の情報を報知する第１の報知部を含む情報処理装置。
【請求項９】
請求項３〜８のいずれかにおいて、
前記情報処理装置が報知部を含む電子機器に通信可能に接続され、
前記ビタミンＤ生成量推定部が推定したビタミンＤの生成量が前記人における必要なビタミンＤの量以上になった場合において、前記報知部に対して、前記ビタミンＤ生成量推定部が推定したビタミンＤの生成量が前記人における必要なビタミンＤの量以上になった旨の情報を送信する送信部を含む情報処理装置。
【請求項１０】
請求項１〜９のいずれかにおいて、
前記ビタミンＤ生成量推定部は、少なくとも、性別、年齢および体重に基づいて算出する情報処理装置。
【請求項１１】
請求項３〜１０のいずれかにおいて、
前記ビタミンＤ生成量推定部が推定したビタミンＤの生成量が前記人における必要なビタミンＤの量よりも少ない場合において、少なくとも、前記差分に相当するビタミンＤの量を摂取可能な食べ物、飲み物及びサプリメントの群から選択される少なくとも１種と、前記食べ物、飲み物及びサプリメントの群から選択される少なくとも１種の量との食事メニューを生成する食事メニュー生成部を含む情報処理装置。
【請求項１２】
請求項１〜１１のいずれかにおいて、
測定または取得された紫外線量の累積値を算出する紫外線量累積部と、
前記紫外線量累積部が算出した紫外線量の累積値が、紅斑紫外線量との関係における割合を算出する割合算出部とを含む情報処理装置。
【請求項１３】
請求項１２において、
前記紫外線量の累積値が前記紅斑紫外線量の所定の割合に達した場合において、その旨を報知する第２の報知部を含む情報処理装置。
【請求項１４】
請求項１２または１３において、
前記紫外線量は、紫外線測定部により測定され、
前記紫外線量の累積値に基づき、前記紫外線測定部が前記紫外線量を測定する間隔を決定する測定間隔決定部を含む情報処理装置。
【請求項１５】
請求項１２〜１４のいずれかにおいて、
前記紫外線量の累積値が前記紅斑紫外線量に達していない場合において、
前記紫外線量の累積値が前記紅斑紫外線量に達するまでに必要な日照時間または紫外線の暴露時間を算出する第２の必要時間算出部を含む情報処理装置。
【請求項１６】
請求項１５において、
前記第２の必要時間算出部は、
所定時間前から現在までの間に取得または測定した紫外線量のうち紫外線量が最高値を継続したと仮定した場合における、紅斑紫外線量に達するまでに必要な日照時間を算出する機能と、
前記所定時間前から現在までの間に取得または測定した紫外線量のうち紫外線量が平均値を継続したと仮定した場合における、紅斑紫外線量に達するまでに必要な日照時間を算出する機能と、
前記所定時間前から現在までの間に取得または測定した紫外線量のうち紫外線量が最低値を継続したと仮定した場合における、紅斑紫外線量に達するまでの必要な日照時間を算出する機能部と、を実現する情報処理装置。
【請求項１７】
請求項１〜１６のいずれかにおいて、
前記人が居る土地情報と時刻に基づいて当該土地からみて地平線より上に太陽が位置しているかどうかを判断する太陽位置判断部を含む情報処理装置。
【請求項１８】
請求項１〜１７のいずれかにおいて、
前記被覆層が紫外線吸収型の化粧品から構成され、
前記紫外線量に基づき、前記被覆層の紫外線吸収率を算出するための紫外線吸収率算出部を含む情報処理装置。
【請求項１９】
請求項１〜１８のいずれかにおいて、
前記ビタミンＤ生成量推定部が推定したビタミンＤの生成量を表示するための表示部を含み、
前記ビタミンＤ生成量推定部が推定したビタミンＤの生成量の表示領域において当該生成量に応じて伸長されるような表示態様をとるように表示制御する表示制御部を含む情報処理装置。
【請求項２０】
入力部が、少なくとも、肌のタイプ、露出した皮膚面積、露出した肌の被覆層の有無、及び、前記被覆層の紫外線減衰率を含む入力情報を入力するための工程と、
ビタミンＤ生成量推定部が、測定または取得された紫外線の暴露時間および紫外線量と、前記入力部により入力された入力情報と、紫外線による体内でのビタミンＤの生成率とに基づき、体内で生成されるビタミンＤの生成量を推定する工程とを含む、人の体内において生成されるビタミンＤを推定するための情報処理方法。
【請求項２１】
コンピュータに、
入力部が、少なくとも、肌のタイプ、露出した皮膚面積、露出した肌の被覆層の有無、及び、前記被覆層の紫外線減衰率を含む入力情報を入力するためのステップと、
ビタミンＤ生成量推定部が、測定または取得された紫外線の暴露時間および紫外線量と、前記入力部により入力された入力情報と、紫外線による体内でのビタミンＤの生成率とに基づき、人の体内で生成されるビタミンＤの生成量を推定するステップとを実行させるためのプログラム。
【発明の詳細な説明】
【技術分野】
【０００１】
本発明は、紫外線量の影響に関する情報を出力するための情報処理装置、情報処理方法およびプログラムに関する。
【背景技術】
【０００２】
紫外線センサによる紫外線量を計測する技術が提案されている（特許文献１参照）。紫外線量からビタミンＤの生成に関する研究発表もなされている（非特許文献１〜非特許文献６）
【先行技術文献】
【特許文献】
【０００３】
【特許文献１】特開２０１４−１０９５４６号公報
【非特許文献】
【０００４】
【非特許文献１】中島英彰、外１名、体内で必要とするビタミンＤ生成に要する日照時間の推定−札幌の冬季にはつくばの３倍以上の日光浴が必要−、［online］、２０１３年８月３０日、国立研究開発法人国立環境研究所、［２０１８年１月５日検索］、インターネット〈https://www.nies.go.jp/whatsnew/2013/20130830/20130830.html〉
【０００５】
【非特許文献２】宮内正厚、外１名、体内でビタミンＤを生成するための紫外線の有害性を考慮した有効な紫外線照射時間の推定、［online］、地球環境センターニュース  2017年2月号 ［Vol.27 No.11］ 通巻第314号 201702_314005、［２０１８年１月５日検索］、インターネット〈http://www.cger.nies.go.jp/cgernews/201702/314005.html〉
【０００６】
【非特許文献３】中島英彰、外１名、太陽紫外線による健康のためのビタミンＤ生成と皮膚への有害性評価−国内５地点におけるビタミンＤ生成・紅斑紫外線量準リアルタイム情報の提供開始−、［online］、２０１４年１１月２７日、国立研究開発法人国立環境研究所、［２０１８年１月５日検索］、インターネット〈https://www.nies.go.jp/whatsnew/2014/20141127/20141127.html〉
【０００７】
【非特許文献４】中島英彰、外１名、国民のビタミンＤ不足を補うための日光照射の勧め−新たに札幌・横浜・名古屋・大津・宮崎を含めた国内１０地点における準リアルタイム情報の提供開始−、［online］、２０１７年４月１０日、国立研究開発法人国立環境研究所、［２０１８年１月５日検索］、インターネット〈https://www.nies.go.jp/whatsnew/20170410/20170410.html〉
【０００８】
【非特許文献５】国立研究開発法人 国立環境研究所 地球環境研究センター、ビタミンD生成・紅斑紫外線について、［online］、国立研究開発法人国立環境研究所、［２０１７年１２月２８日検索］、インターネット〈http://db.cger.nies.go.jp/dataset/uv_vitaminD/ja/exposition.html〉
【０００９】
【非特許文献６】エム  ミヤウチ，シー  ヒライ，  エイチ  ナカジマ（M. Miyauchi, C. Hirai and H. Nakajima） (2013)「日本における数学的シミュレーションおよび観察によって評価された体内においてビタミンＤ３を合成するために必要な日光照射時間」 (The solar exposure time required for vitamin D3 synthesis in the human body estimated by numerical simulation and observation in Japan.) 日本栄養・食糧学会雑誌( J. Nutr. Sci. Vitaminol.) 第58号, p.257-263.
【発明の概要】
【発明が解決しようとする課題】
【００１０】
本発明の目的は、体内のビタミンＤの生成量を的確に算出することができる情報処理装置、情報処理方法およびプログラムを提供することにある。
【課題を解決するための手段】
【００１１】
１．情報処理装置
本発明の情報処理装置は、
少なくとも、肌のタイプ、露出した皮膚面積、露出した肌の被覆層の有無、及び、前記被覆層の紫外線減衰率を含む入力情報を入力するための入力部と、
測定または取得された紫外線の暴露時間および紫外線量と、前記入力部により入力された入力情報と、紫外線による体内でのビタミンＤの生成率とに基づき、人の体内で生成されるビタミンＤの生成量を推定するビタミンＤ生成量推定部とを含む。
【００１２】
本発明において、前記入力情報は、前記被覆層の厚みを含むことができる。これにより、ビタミンＤの生成量の推定に当たって、推定誤差を小さくすることができる。
【００１３】
本発明において、
前記ビタミンＤ生成量推定部が推定したビタミンＤの生成量と、前記人における必要なビタミンＤの量との差分を算出する差分算出部を含むことができる。
【００１４】
本発明において、
前記ビタミンＤ生成量推定部が推定したビタミンＤの生成量が前記人における必要なビタミンＤの量よりも少ない場合において、前記差分に相当するビタミンＤの量を生成するために必要な日照時間または紫外線の暴露時間を算出する第１の必要時間算出部を含むことができる。
【００１５】
本発明において、
前記第１の必要時間算出部は、
所定時間前から現在までの間に取得または測定した紫外線量のうち紫外線量が最高値を継続したと仮定した場合における、所定のビタミンＤの生成量に達するまでの必要な日照時間を算出する機能と、
前記所定時間前から現在までの間に取得または測定した紫外線量のうち紫外線量が平均値を継続したと仮定した場合における、所定のビタミンＤの生成量に達するまでの必要な日照時間を算出する機能と、
前記所定時間前から現在までの間に取得または測定した紫外線量のうち紫外線量が最低値を継続したと仮定した場合における、所定のビタミンＤの生成量に達するまでの必要な日照時間を算出する機能と、を実現することができる。
【００１６】
本発明において、
所定時間前から現在までの間の前記差分の積算量を考慮して、体内に蓄積されたビタミンＤの蓄積量を算出するビタミンＤ蓄積量算出部を含むことができる。
【００１７】
本発明において、
前記ビタミンＤ蓄積量算出部は、ビタミンＤの半減期を考慮して、前記体内に蓄積されたビタミンＤの蓄積量を算出することができる。
【００１８】
本発明において、
前記ビタミンＤ生成量推定部が推定したビタミンＤの生成量が前記人における必要なビタミンＤの量以上になった場合において、前記ビタミンＤ生成量推定部が推定したビタミンＤの生成量が前記人における必要なビタミンＤの量以上になった旨の情報を報知する第１の報知部を含むことができる。
【００１９】
本発明において、
前記情報処理装置が報知部を含む電子機器に通信可能に接続され、
前記ビタミンＤ生成量推定部が推定したビタミンＤの生成量が前記人における必要なビタミンＤの量以上になった場合において、前記報知部に対して、前記ビタミンＤ生成量推定部が推定したビタミンＤの生成量が前記人における必要なビタミンＤの量以上になった旨の情報を送信する送信部を含むことができる。
【００２０】
本発明において、
前記ビタミンＤ生成量推定部は、少なくとも、性別、年齢および体重に基づいて算出することができる。
【００２１】
本発明において、
前記ビタミンＤ生成量推定部が推定したビタミンＤの生成量が前記人における必要なビタミンＤの量よりも少ない場合において、少なくとも、前記差分に相当するビタミンＤの量を摂取可能な食べ物、飲み物及びサプリメントの群から選択される少なくとも１種と、前記食べ物、飲み物及びサプリメントの群から選択される少なくとも１種の量との食事メニューを生成する食事メニュー生成部を含むことができる。
【００２２】
本発明において、
測定または取得された紫外線量の累積値を算出する紫外線量累積部と、
前記紫外線量累積部が算出した紫外線量の累積値が、紅斑紫外線量との関係における割合を算出する割合算出部とを含むことができる。
【００２３】
本発明において、
前記紫外線量の累積値が前記紅斑紫外線量の所定の割合に達した場合において、その旨を報知する第２の報知部を含むことができる。
【００２４】
本発明において、
前記紫外線量は、紫外線測定部により測定され、
前記紫外線量の累積値に基づき、前記紫外線測定部が前記紫外線量を測定する間隔を決定する測定間隔決定部を含むことができる。
【００２５】
本発明において、
前記紫外線量の累積値が前記紅斑紫外線量に達していない場合において、
前記紫外線量の累積値が前記紅斑紫外線量に達するまでに必要な日照時間または紫外線の暴露時間を算出する第２の必要時間算出部を含むことができる。
【００２６】
本発明において、
前記第２の必要時間算出部は、
所定時間前から現在までの間に取得または測定した紫外線量のうち紫外線量が最高値を継続したと仮定した場合における、紅斑紫外線量に達するまでに必要な日照時間を算出する機能と、
前記所定時間前から現在までの間に取得または測定した紫外線量のうち紫外線量が平均値を継続したと仮定した場合における、紅斑紫外線量に達するまでに必要な日照時間を算出する機能と、
前記所定時間前から現在までの間に取得または測定した紫外線量のうち紫外線量が最低値を継続したと仮定した場合における、紅斑紫外線量に達するまでの必要な日照時間を算出する機能部と、を実現することができる。
【００２７】
本発明において、
前記人が居る土地情報と時刻に基づいて当該土地からみて地平線より上に太陽が位置しているかどうかを判断する太陽位置判断部を含むことができる。
【００２８】
本発明において、
前記被覆層が紫外線吸収型の化粧品から構成され、
前記紫外線量に基づき、前記被覆層の紫外線吸収率を算出するための紫外線吸収率算出部を含むことができる。
【００２９】
２．情報処理方法
本発明の情報処理方法は、
入力部が、少なくとも、肌のタイプ、露出した皮膚面積、露出した肌の被覆層の有無、及び、前記被覆層の紫外線減衰率を含む入力情報を入力するための工程と、
ビタミンＤ生成量推定部が、測定または取得された紫外線の暴露時間および紫外線量と、前記入力部により入力された入力情報と、紫外線による体内でのビタミンＤの生成率とに基づき、人の体内で生成されるビタミンＤの生成量を推定する工程とを含む。
【００３０】
３．プログラム
本発明のプログラムは、
コンピュータに、
入力部が、少なくとも、肌のタイプ、露出した皮膚面積、露出した肌の被覆層の有無、及び、前記被覆層の紫外線減衰率を含む入力情報を入力するためのステップと、
ビタミンＤ生成量推定部が、測定または取得された紫外線の暴露時間および紫外線量と、前記入力部により入力された入力情報と、紫外線による体内でのビタミンＤの生成率とに基づき、人の体内で生成されるビタミンＤの生成量を推定するステップとを実行させるためのものである。
【発明の効果】
【００３１】
本発明によれば、体内でのビタミンＤの生成の観点からの適度な範囲の暴露紫外線量を容易に知ることができる。
【図面の簡単な説明】
【００３２】
【図１】情報処理装置の構成例を示す図である。
【図２】情報処理装置の外部機器との構成例を示す図である。
【図３】情報処理システムの構成例を示す図である。
【図４】情報処理の処理フローを説明する図である。
【図５】ビタミンＤの余剰量を説明するための図である。
【図６】ビタミンＤの半減期を考慮したビタミンＤの余剰量を説明するための図である。
【図７】情報処理の処理フローを説明する図である。
【図８】情報処理装置の表示例を模式的に示す図である。
【図９】情報処理装置の表示例を模式的に示す図である。
【図１０】情報処理装置の表示例を模式的に示す図である。
【図１１】情報処理装置の表示例を模式的に示す図である。
【図１２】情報処理装置の表示例を模式的に示す図である。
【図１３】情報処理装置の表示例を模式的に示す図である。
【図１４】情報処理装置の表示例を模式的に示す図である。
【図１５】情報処理装置の表示例を模式的に示す図である。
【発明を実施するための形態】
【００３３】
以下、本発明の好適な実施の形態について図面を参照しながら説明する。
１．情報処理装置の構成
（１）情報処理装置の機能的構成
図１を参照しながら、情報処理装置１０の機能的構成について説明する。
【００３４】
情報処理装置１０は、人の体内において生成されるビタミンＤを推定するためのものである。情報処理装置１０は、入力部２０と、処理部３０とを含む。情報処理装置１０は、さらに、記憶部４０と、入力部２０と、データ取得部４２と、送信部４４と、表示部５０と、報知手段５２と、紫外線量計測部６０とを含むことができる。
【００３５】
入力部２０は、少なくとも、肌のタイプ、露出した皮膚面積、露出した肌の被覆層の有無、及び、被覆層の紫外線減衰率を含む入力情報を入力するためのものである。入力情報には、さらに、被覆層の厚みを含んでもよい。被覆層は、たとえば、化粧品による被覆層とすることができる。
【００３６】
処理部３０は、ビタミンＤ生成量推定部３０ａと、差分算出部３０ｂと、第１の必要時間算出部３０ｃと、ビタミンＤ蓄積量算出部３０ｄと、食事メニュー生成部３０ｅと、紫外線量累積部３０ｆと、割合算出部３０ｇと、測定間隔決定部３０ｈと、第２の必要時間算出部３０ｉと、太陽位置判断部３０ｊと、紫外線吸収率算出部３０ｋと、表示制御部３０ｌとを含むことができる。
【００３７】
ビタミンＤ生成量推定部３０ａは、測定または取得された紫外線の暴露時間および紫外線量と、入力部２０により入力された入力情報と、紫外線による体内でのビタミンＤの生成率とに基づき、体内で生成されるビタミンＤの生成量を推定するものである。ビタミンＤ生成量推定部３０ａは、少なくとも、性別、年齢および体重に基づいて算出することができる。
【００３８】
差分算出部３０ｂは、ビタミンＤ生成量推定部３０ａが推定したビタミンＤの生成量と、人における必要なビタミンＤの量との差分を算出するものである。
【００３９】
第１の必要時間算出部３０ｃは、ビタミンＤ生成量推定部３０ａが推定したビタミンＤの生成量が人における必要なビタミンＤの量よりも少ない場合において、推定されたビタミンＤの生成量と、人における必要なビタミンＤの量との差分に相当するビタミンＤの量を生成するために必要な日照時間または紫外線の暴露時間を算出するものである。
【００４０】
第１の必要時間算出部３０ｃは、１）所定時間前から現在までの間に取得または測定した紫外線量のうち紫外線量が最高値を継続したと仮定した場合における、所定のビタミンＤの生成量に達するまでの必要な日照時間を算出する機能と、２）所定時間前から現在までの間に取得または測定した紫外線量のうち紫外線量が平均値を継続したと仮定した場合における、所定のビタミンＤの生成量に達するまでの必要な日照時間を算出する機能と、３）所定時間前から現在までの間に取得または測定した紫外線量のうち紫外線量が最低値を継続したと仮定した場合における、所定のビタミンＤの生成量に達するまでの必要な日照時間を算出する機能と、を実現するものであることができる。
【００４１】
ビタミンＤ蓄積量算出部３０ｄは、所定時間前から現在までの間の差分算出部３０ｂで算出した差分の積算量を考慮して、体内に蓄積されたビタミンＤの蓄積量を算出するものである。ビタミンＤ蓄積量算出部３０ｄは、ビタミンＤの半減期を考慮して、体内に蓄積されたビタミンＤの蓄積量を算出することができる。
【００４２】
食事メニュー生成部３０ｅは、ビタミンＤ生成量推定部３０ａが推定したビタミンＤの生成量が人における必要なビタミンＤの量よりも少ない場合において、少なくとも、差分に相当するビタミンＤの量を摂取可能な食べ物、飲み物及びサプリメントの群から選択される少なくとも１種と、食べ物、飲み物及びサプリメントの群から選択される少なくとも１種の量との食事メニューを生成するものである。
【００４３】
紫外線量累積部３０ｆは、入力された紫外線量の累積値を算出するものである。
【００４４】
割合算出部３０ｇは、紫外線量累積部３０ｆが算出した紫外線量の累積値が、紅斑紫外線量との関係における割合を算出するものである。
【００４５】
測定間隔決定部３０ｈは、紫外線量が紫外線測定部により測定される場合において、紫外線量の累積値に基づき、紫外線測定部が紫外線量を測定する間隔を決定するものである。紫外線量の測定には電気を消耗するところ、紫外線量測定部を電池で駆動した場合に、紫外線量の蓄積量が紅斑紫外線量にまだ達していない段階で頻繁に測定すると、電池に充電された電気の消耗が激しくなってしまう。そこで、紫外線量の蓄積量が紅斑紫外線量に達するまでに余裕があるときには測定間隔を長くし、紅斑紫外線量に近くなってきたときには測定間隔を短くすることができる。
【００４６】
第２の必要時間算出部３０ｉは、紫外線量の累積値が紅斑紫外線量に達していない場合において、紫外線量の累積値が紅斑紫外線量に達するまでに必要な日照時間または紫外線の暴露時間を算出するものである。第２の必要時間算出部３０ｉは、１）所定時間前から現在までの間に取得または測定した紫外線量のうち紫外線量が最高値を継続したと仮定した場合における、紅斑紫外線量に達するまでに必要な日照時間を算出する機能と、２）所定時間前から現在までの間に取得または測定した紫外線量のうち紫外線量が平均値を継続したと仮定した場合における、紅斑紫外線量に達するまでに必要な日照時間を算出する機能と、３）所定時間前から現在までの間に取得または測定した紫外線量のうち紫外線量が最低値を継続したと仮定した場合における、紅斑紫外線量に達するまでの必要な日照時間を算出する機能部と、を含むことができる。
【００４７】
太陽位置判断部３０ｊは、ビタミンＤの生成量を推定される人が居る土地情報と時刻に基づいて土地からみて地平線より上に太陽が位置しているかどうかを判断するものである。
【００４８】
紫外線吸収率算出部３０ｋは、被覆層が紫外線吸収型の化粧品から構成され、紫外線量に基づき、被覆層の紫外線吸収率を算出するためのものである。
【００４９】
表示制御部３０ｌは、ビタミンＤ生成量推定部３０ａが推定したビタミンＤの生成量を表示するための表示部５０の表示を制御するもので、ビタミンＤ生成量推定部３０ａが推定したビタミンＤの生成量の表示領域において当該生成量に応じて伸長されるような表示態様をとるように表示制御することができるものである。
【００５０】
情報処理装置１０は、記憶部４０を含むことができる。記憶部４０には、たとえば、処理部３０により得られたデータや、入力部２０により入力されたデータ、データ取得部４２により取得されたデータ、紫外線量測定部により測定されたデータなどを記憶することができる。また、紫外線による体内でのビタミンＤの生成率を記憶させておくことができ、処理部３０が種々の情報処理をする際に、記憶部４０に記憶されたデータまたは情報を読み出すことができる。
【００５１】
情報処理装置１０は、データ取得部４２を含むことができる。情報処理装置１０が通信ネットワーク７０に接続されている場合には、データ取得部４２は受信部として機能する。
【００５２】
情報処理装置１０は、送信部４４を含むことができる。送信部４４は、処理部３０により得られたデータや、入力部２０により入力されたデータ、データ取得部４２により取得されたデータ、紫外線量測定部により測定されたデータなどを送信することができる。
【００５３】
情報処理装置１０は、表示部５０を含むことができる。表示部５０は、処理部３０により得られたデータや、入力部２０により入力されたデータ、データ取得部４２により取得されたデータ、紫外線量測定部により測定されたデータなどを表示することができる。
【００５４】
情報処理装置１０は、報知手段５２を含むことができる。報知手段５２は、第１の報知部５２ａと、第２の報知部５２ｂとを含むことができる。第１の報知部５２ａは、ビタミンＤ生成量推定部３０ａが推定したビタミンＤの生成量が人における必要なビタミンＤの量以上になった場合において、ビタミンＤ生成量推定部３０ａが推定したビタミンＤの生成量が人における必要なビタミンＤの量以上になった旨の情報を報知するものである。
【００５５】
第２の報知部５２ｂは、紫外線量の累積値が紅斑紫外線量の所定の割合に達した場合において、その旨を報知するものである。
【００５６】
紫外線量計測部６０は紫外線量を計測するものである。
【００５７】
（２）情報処理装置１０の物理的構成
情報処理装置１０の機能は、コンピュータなどの公知の電子計算機により実現することができる。情報処理装置１０は、たとえば、入出力機能があるコンピュータや携帯電話などの携帯端末からなることができる。情報処理装置１０は、通信可能なコンピュータなどの自動計算機や携帯電話などの携帯通信端末を適用することができる。情報処理装置１０に対して情報処理を実行させるプログラムは、情報処理装置１０に含まれる記憶装置（たとえば、ＲＯＭ、ハードディスク）などに格納することができる。種々の処理部３０による情報処理は、ＣＰＵなどの演算装置により実行することができる。
【００５８】
上記の実施の形態においては、情報処理装置１０は、１つの自動計算機などのハードウェア資源により実現してもよいし、複数のハードウェア資源により実現してもよい。情報処理装置１０は、図３に示すように、インターネットなどの通信ネットワーク７０に接続して、クライアント端末７２との間で情報の送受信可能に構成してもよい。具体的には、情報処理装置１０は、クライアント端末７２から送信された測定された紫外線量や入力情報を受信することで入力され、受信したデータに基づきビタミンＤの生成推定量や、処理部３０により情報処理がなされた情報をクライアント端末７２に送信してもよい。
【００５９】
記憶部４０は、たとえば、ＲＯＭ、ハードディスク、ＣＤなど公知の記憶装置により構成することができる。
【００６０】
入力部２０は、たとえば、キーボード、マウス、タッチパネルなどにより、その機能を実現することができる。入力情報が通信可能に接続された外部端末から送信されてくる場合には、入力部２０の機能は受信手段により実現することができる。データ取得部４２と入力部２０とを同じデバイスで構成してもよい。
【００６１】
送信部４４はデータを送信できるものであれば特に限定されず、公知の送信手段を適用することができる。
【００６２】
第１の報知部５２ａおよび第２の報知部５２ｂは、たとえば、スピーカー、振動デバイス、ディスプレイなどからなることができある。第１の報知部５２ａおよび第２の報知部５２ｂは、表示部５０の機能を実現するデバイスにより実現してもよい。第１の報知部５２ａと、第２の報知部５２ｂとは同じデバイスから構成されてもよいし、別のデバイスから構成されてもよい。
【００６３】
第１の報知部５２ａおよび第２の報知部５２ｂは、表示部５０と同じデバイスにより、その機能を実現してもよい。情報処理装置１０に通信可能に接続されている報知装置（報知機能を有する携帯端末などの電子機器）により、第１の報知部５２ａおよび第２の報知部５２ｂの機能を実現してもよい。第１の報知部５２ａおよび第２の報知部５２ｂの一方が情報処理装置１０に設けられ、他方が情報処理装置１０に通信可能に接続されている報知装置としてもよい。
【００６４】
第１の報知部５２ａおよび第２の報知部５２ｂは、情報処理装置１０に設けずに、図２に示すように、外部機器として情報処理装置１０に接続可能または通信可能に設けてもよい。
【００６５】
情報処理装置１０は、紫外線量計測部６０を含むことができる。紫外線量計測部６０は紫外線量を計測する装置であり、公知の紫外線センサーを用いることができる。紫外線量計測部６０は、情報処理装置１０に設けずに、図２に示すように、外部機器として情報処理装置１０に接続可能または通信可能に設けてもよい。
【００６６】
（３）ビタミンＤの生成量の推定算出式
ビタミンＤの生成量の推定に当たり、次の算出式を用いることができる。
（算出式）
ビタミンＤの生成量＝紫外線による体内でのビタミンＤの生成率×肌のタイプの効果×露出した皮膚面積×紫外線の暴露時間×被覆層の紫外線減衰率
ここで、被覆層の紫外線減衰率は、次の式に基づいて導出することができる。
被覆層の紫外線減衰率＝被覆層の材料に基づく指標＝被覆層の材料のＳＰＦ値の逆数＝１／被覆層の材料のＳＰＦ値
【００６７】
紫外線減衰率は、被覆層の厚みにより重みづけをしてもよい。被覆層がない場合には、被覆層の紫外線減衰率は１とすることができる。ＳＰＦ値は、紫外線を浴びた際にできる皮膚赤い斑点ができるまでの時間を何倍に長くできるかを表した指標である。ＳＰＦ３０の日焼け止めを利用した場合、赤い斑点が現れる時間を３０倍に延ばすことができるということを意味する。つまり、紫外線減衰率は、実質的に、ＳＰＦ値の逆数といえる。
【００６８】
肌のタイプの効果に基づく数値は、肌のタイプからあらかじめ設定しておくことも可能であり、または、データ取得部４２により通信ネットワーク７０を介して取得してもよい。
【００６９】
２．情報処理方法
（１）第１の情報処理方法
図４に示すように、入力部２０により、少なくとも、肌のタイプ、露出した皮膚面積、露出した肌の被覆層の有無、及び、前記被覆層の紫外線減衰率を含む入力情報が入力される（Ｓ１１）。
【００７０】
次に、ビタミンＤ生成量推定部３０ａにより、紫外線の暴露時間および紫外線量と、紫外線による体内でのビタミンＤの生成率と、入力情報とを考慮してビタミンＤの生成量を推定する（Ｓ１２）。この推定に当たって、被覆層の厚みや、当該人の性別、年齢、体重などを考慮してもよい。
【００７１】
次に、差分算出部３０ｂにより、算出したビタミンＤの生成量と、必要なビタミンＤの量との差分を算出する（Ｓ１３）。
【００７２】
次に、第１の要求により、第１の必要時間算出部３０ｃにより、ビタミンＤ生成量推定部３０ａが推定したビタミンＤの生成量が前記人における必要なビタミンＤの量よりも少ない場合において、ステップ１３（Ｓ１３）で算出された差分に相当するビタミンＤの量を生成するために必要な日照時間または紫外線の暴露時間を算出する（Ｓ１４ａ）。
【００７３】
（２）第２の情報処理方法
第２の情報処理方法は、図４に示すように、ステップ１２（Ｓ１２）まで第１の情報処理方法と同じである。ステップ１２（Ｓ１２）の後に、第２の要求により、ビタミンＤ蓄積量算出部３０ｄにより、所定時間前から現在までの間にステップ１３（Ｓ１３）で算出された差分の積算量を考慮して、体内に蓄積されたビタミンＤの蓄積量を算出する（Ｓ１４ｂ）。ビタミンＤ蓄積量算出部３０ｄは、ビタミンＤの半減期を考慮して、体内に蓄積されたビタミンＤの蓄積量を算出することができる。図５および図６に、ビタミンＤ余剰量の関係の上での、ビタミンＤの半減期に基づく減少量を説明するための概念図を示す。
【００７４】
（３）第３の情報処理方法
第３の情報処理方法は、図４に示すように、ステップ１２（Ｓ１２）まで第１の情報処理方法と同じである。ステップ１２（Ｓ１２）の後に、ステップ１３（Ｓ１３）で算出された差分に基づき、ビタミンＤの生成量が必要量に達しているかどうかを判断し（Ｓ１４ｃ）、達していれば、自動的に第１の報知部５２ａによりその旨を報知する。（Ｓ１５ｃ）。
【００７５】
（４）第４の情報処理方法
第４の情報処理方法は、図４に示すように、ステップ１２（Ｓ１２）まで第１の情報処理方法と同じである。ステップ１２（Ｓ１２）の後に、第３の要求に基づき、ステップ１３（Ｓ１３）で算出された差分に基づき、食事メニュー生成部３０ｅがその差分を補う食事メニューを生成する（Ｓ１４ｄ）。
【００７６】
（５）第５の情報処理方法
第５の情報処理方法は、図７に示すように、紫外線量を紫外線測定部により測定、または、データ取得部４２により取得する（Ｓ２１）。
【００７７】
次に、紫外線量累積部３０ｆにより、紫外線量の累積値を算出する（Ｓ２２）。次に、割合算出部３０ｇにより、紫外線量の累積値が紅斑紫外線量との関係における割合を算出する（Ｓ２３ａ）。
【００７８】
次に、紫外線量の累積値が紅斑紫外線量に達しているかどうか判断し（Ｓ２４ａ）、紫外線量の累積値が紅斑紫外線量に達していれば、第２の報知部５２ｂによりその旨が報知される（Ｓ２５ａ）。一方、紫外線量の累積値が紅斑紫外線量に達していなければ、第２の必要時間算出部３０ｉにより、紅斑紫外線量に達することになる日照時間を算出する。
【００７９】
（６）第６の情報処理方法
第６の情報処理方法は、ステップ２２（Ｓ２２）まで第５の情報処理方法と同じである。ステップ２２（Ｓ２２）の後に、紫外線量の累積値に基づき、紫外線測定部による紫外線量の測定間隔を決定する。
【００８０】
３．表示例
（１）識別情報や入力情報の入力画面
情報処理装置１０は、表示部５０に対して、図８に示すように、識別情報（氏名、ニックネームなど）、性別、生年月日、体重、肌タイプなどの入力を促す画面を表示することができる。肌タイプの選択肢としては、例えば、次の６肢を挙げることができる。
「１：白人に多いタイプです。」、「２：色白のタイプです。」、「３：日本人に一番多いタイプです。」、「４：日焼けしている肌のタイプです。」、「５：色黒のタイプです。」、「６：黒人です。」
【００８１】
図９に示すように、情報処理装置１０にカメラが設けられている場合には、そのカメラで肌を撮影し、その撮影データに基づく肌タイプを判定してもよい。
【００８２】
（２）肌の露出面積、被覆層の紫外線減衰率および化粧の厚さの入力画面
情報処理装置１０において、図１０に示すように、服の組み合わせ（コーディネーション）の選択を促す表示がなされ、その選択を通じて肌の露出面積を入力することができる。ＳＰＦと化粧の厚さの入力を促す画面が表示される。ＳＰＦの値の入力を通じて、被覆層の紫外線減衰率の入力を行うことができる。化粧の厚さは、たとえば、「濃い」、「普通」、「やや薄い」、「薄い」、「なし」などから選択することができる。化粧の厚さは、厚さの数値を入力するものであってもよい。化粧の厚さを入力することは、被覆層の有無も入力したことを意味する。
【００８３】
（３）ビタミンＤの生成量の推定値の表示画面
情報処理装置１０は、図１１に示すように、入力データに基づきビタミンＤの生成量を算出し、表示部５０に表示することができる。暴露紫外線量を表示してもよい。暴露紫外線量に基づいて、たとえば、「皮膚障害が発生しそうです（紫外線をこれ以上浴びないでください）」、「ビタミンＤが十分できました（紫外線の浴び過ぎに注意してください）」、「ビタミンＤが十分できました（皮膚障害発生の心配はありません）」、「ビタミンＤ生成が不十分です（本日のビタミンＤ○○％生成しました）」のいずれかの報知をすることができる。
【００８４】
（４）紫外線暴露量の表示画面
情報処理装置１０は、図１２に示すように、時間ごとに紫外線暴露量の推移を表示することができる。ビタミンＤの生成量を骨の表示割合にて表示してもよい。
【００８５】
（５）ビタミンＤ生成達成割合の表示例
情報処理装置１０は、図１３に示すように、所定期間の各日の必要ビタミンＤ量に対するビタミンＤ生成量に達した割合を表示してもよい。
【００８６】
（６）実効湿度の表示例
情報処理装置１０は、図１４に示すように、実効湿度を表示してもよい。
【００８７】
（７）食事メニューの表示例
情報処理装置１０は、図１５に示すように、ビタミンＤの補給のための食事のメニューを表示することができる。
【００８８】
４．作用効果
人の皮膚は紫外線を浴びすぎるとメラミン色素ができてシミ・しわなどの皮膚障害が発生する。これを防ぐ目的で、種々の紫外線対策化粧品が上市されている。
【００８９】
一方、人の皮膚が紫外線を浴びてビタミンＤが作られる。ビタミンＤは、血流に乗って、肝臓と腎臓を経て活性ビタミンＤとなり、腸でのカルシウム吸収を助ける。適度な日光浴は健康増進に極めて重要である。１９８０年代に南半球でのオゾンホール出現により、紫外線が悪者というイメージが一般的に固定化されている。
【００９０】
その結果、特に若い女性を中心に子供、老人を含め日本人女性の７割以上がビタミンＤ不足と言われ、骨の健康リスク（たとえば骨粗鬆症）が社会問題化している。ビタミンＤが不足すると腸からのカルシウム吸収が不十分となるからである。健康増進には、適正な日光浴とビタミンＤを含む食品やサプリメントを摂取することが必要である。つまり、適度な範囲を超えての紫外線を浴びることは有害性があるものの、その適度な範囲の紫外線を浴びることは必要であり、紫外線対策化粧品などの皮膚の被覆層を考慮してはじめて適度な紫外線量を浴びたかどうかを判断できるということを見出した。実生活の場面でその適度な範囲の紫外線の暴露量を認識又は可視化することが難しいところ、本実施の形態に係る情報処理装置１０によれば、その適度な範囲の紫外線暴露量を容易に知ることができる。
【００９１】
上記の実施の形態は、本発明の要旨の範囲内で種々の変更が可能である。
【符号の説明】
【００９２】
１０  情報処理装置
２０  入力部
３０  処理部
３０ａ  ビタミンＤ生成量推定部
３０ｂ  差分算出部
３０ｃ  第１の必要時間算出部
３０ｄ  ビタミンＤ蓄積量算出部
３０ｅ  食事メニュー生成部
３０ｆ  紫外線量累積部
３０ｇ  割合算出部
３０ｈ  測定間隔決定部
３０ｉ  第２の必要時間算出部
３０ｊ  太陽位置判断部
３０ｋ  紫外線吸収率算出部
３０ｌ  表示制御部
４０  記憶部
４２  データ取得部
４４  送信部
５０  表示部
５２  報知手段
５２ａ  第１の報知部
５２ｂ  第２の報知部
６０  紫外線量計測部
７０  通信ネットワーク
７２  クライアント端末
【図１】
2019211937.tif 000003
【図２】
2019211937.tif 000004
【図３】
2019211937.tif 000005
【図４】
2019211937.tif 000006
【図５】
2019211937.tif 000007
【図６】
2019211937.tif 000008
【図７】
2019211937.tif 000009
【図８】
2019211937.tif 000010
【図９】
2019211937.tif 000011
【図１０】
2019211937.tif 000012
【図１１】
2019211937.tif 000013
【図１２】
2019211937.tif 000014
【図１３】
2019211937.tif 000015
【図１４】
2019211937.tif 000016
【図１５】
2019211937.tif 000017